【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
複数の図柄を表示する図柄表示手段と、
所定枚数のメダルを上限枚数とし少なくとも１枚のメダルが賭けられたことを条件に、遊技者による開始操作の検出を行う開始操作検出手段と、
この開始操作検出手段により行われる開始操作の検出に基づいて所定の乱数範囲の中から乱数を抽出する乱数抽出手段と、
前記所定の乱数範囲に含まれる数値範囲の下限値および上限値を複数の当選役毎に規定する第１抽選値規定手段と、
前記所定の乱数範囲に含まれる数値範囲を複数の当選役毎に規定する第２抽選値規定手段と、
メダルの投入枚数が前記上限枚数である場合に、前記乱数抽出手段により抽出された乱数の値を前記第１抽選値規定手段に規定された前記下限値と前記上限値との双方と比較して前記乱数抽出手段により抽出された乱数が前記数値範囲に属するか否かを前記複数の当選役毎に判別する第１乱数値判別手段と、
メダルの投入枚数が前記上限枚数でない場合に、前記乱数抽出手段により抽出された乱数の値から前記第２抽選規定手段に規定された数値範囲の値を前記複数の当選役毎に順に減算していき、この減算結果が負となるか否かを判別する第２乱数値判別手段と、
前記第１乱数値判別手段または前記第２乱数値判別手段により行われる判別の結果に基づいて当選役を決定する当選役決定手段と、
前記開始操作検出手段により行われる開始操作の検出に基づいて前記図柄表示手段により表示される図柄の変動を行う図柄変動手段と、
遊技者による停止操作の検出を行う停止操作検出手段と、
この停止操作検出手段により行われる停止操作の検出と前記当選役決定手段により決定される当選役とに基づき前記図柄変動手段により行われる図柄の変動の停止制御を行う停止制御手段と、
この停止制御手段による停止制御の結果前記図柄表示手段により予め定められた図柄組合せが停止表示されると遊技価値を付与する遊技価値付与手段とを備え、
前記第１抽選値規定手段は、所定の当選役に応じた前記数値範囲と前記所定の当選役とは異なる他の当選役に応じた前記数値範囲とを一部において重複させ、
前記当選役決定手段は、前記乱数抽出手段で抽出された乱数が前記第１乱数値判別手段より前記所定の当選役に応じた前記数値範囲に属すると判定され、かつ前記他の当選役に応じた前記数値範囲に属すると判定された場合には、前記所定の当選役および前記他の当選役を当選役として決定し、
前記第１乱数値判別手段により行われる判別の結果から前記所定の当選役が前記当選役決定手段により決定される確率および前記他の当選役が前記当選役決定手段により決定される確率は、前記第２乱数値判別手段により行われる判別の結果から前記所定の当選役が前記当選役決定手段により決定される確率および前記他の当選役が前記当選役決定手段により決定される確率に比べて高いことを特徴とする遊技機。
【請求項２】
前記図柄表示手段は、前記複数の図柄が外周面に描かれた複数のリールと、これら複数のリールの各々について前記複数の図柄の一部を表示する表示窓とからなり、
前記所定の当選役に対応する図柄組合せを構成する図柄と前記他の当選役に対応する図柄組合せを構成する図柄とは、前記複数のリールの少なくとも一のリールにおいて、前記表示窓に同時に表示させないように構成されていることを特徴とする請求項１に記載の遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
そこで、本発明は、当選役の新たな抽選方式をもたらすことにより遊技者の固定概念を打破して新たな面白味を生じさせることが可能で、遊技者の要請を満足させることができる遊技機を提供することを目的とする。
【手続補正４】
【補正対象書類名】明細書
【補正対象項目名】０００７
【補正方法】変更
【補正の内容】
【０００７】
このために本発明は、複数の図柄を表示する図柄表示手段と、
所定枚数のメダルを上限枚数とし少なくとも１枚のメダルが賭けられたことを条件に、遊技者による開始操作の検出を行う開始操作検出手段と、
この開始操作検出手段により行われる開始操作の検出に基づいて所定の乱数範囲の中から乱数を抽出する乱数抽出手段と、
所定の乱数範囲に含まれる数値範囲の下限値および上限値を複数の当選役毎に規定する第１抽選値規定手段と、
所定の乱数範囲に含まれる数値範囲を複数の当選役毎に規定する第２抽選値規定手段と、
メダルの投入枚数が上限枚数である場合に、乱数抽出手段により抽出された乱数の値を第１抽選値規定手段に規定された下限値と上限値との双方と比較して乱数抽出手段により抽出された乱数が数値範囲に属するか否かを複数の当選役毎に判別する第１乱数値判別手段と、
メダルの投入枚数が上限枚数でない場合に、乱数抽出手段により抽出された乱数の値から第２抽選規定手段に規定された数値範囲の値を複数の当選役毎に順に減算していき、この減算結果が負となるか否かを判別する第２乱数値判別手段と、
第１乱数値判別手段または第２乱数値判別手段により行われる判別の結果に基づいて当選役を決定する当選役決定手段と、
開始操作検出手段により行われる開始操作の検出に基づいて図柄表示手段により表示される図柄の変動を行う図柄変動手段と、
遊技者による停止操作の検出を行う停止操作検出手段と、
この停止操作検出手段により行われる停止操作の検出と当選役決定手段により決定される当選役とに基づき図柄変動手段により行われる図柄の変動の停止制御を行う停止制御手段と、
この停止制御手段による停止制御の結果図柄表示手段により予め定められた図柄組合せが停止表示されると遊技価値を付与する遊技価値付与手段とを備え、
第１抽選値規定手段は、所定の当選役に応じた数値範囲と所定の当選役とは異なる他の当選役に応じた数値範囲とを一部において重複させ、
当選役決定手段は、乱数抽出手段で抽出された乱数が第１乱数値判別手段より所定の当選役に応じた数値範囲に属すると判定され、かつ他の当選役に応じた数値範囲に属すると判定された場合には、所定の当選役および他の当選役を当選役として決定し、
第１乱数値判別手段により行われる判別の結果から所定の当選役が当選役決定手段により決定される確率および他の当選役が当選役決定手段により決定される確率は、第２乱数値判別手段により行われる判別の結果から所定の当選役が当選役決定手段により決定される確率および他の当選役が当選役決定手段により決定される確率に比べて高いことを特徴とする。
【手続補正５】
【補正対象書類名】明細書
【補正対象項目名】０００８
【補正方法】変更
【補正の内容】
【０００８】
この構成によれば、第１抽選値規定手段では、所定の当選役に応じた数値範囲とこの所定の当選役とは異なる他の当選役に応じた数値範囲とが一部において重複して規定されているので、乱数抽出手段により抽出された乱数がこの重複した数値範囲に属すると、各数値範囲に応じた所定の当選役と他の当選役との複数の当選役が決定される。このため、メダルの投入枚数が上限枚数である場合には、１つの乱数値および第１抽選値規定手段を用いて、一度に複数の当選役を決定することが可能な新たな当選役の抽選方式を提供することができる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
この結果、当選役の新たな抽選方式をもたらすことにより遊技者の固定概念を打破して新たな面白味を生じさせることが可能で、遊技者の要請を満足させることができる遊技機を提供することが可能となる。しかも、所定数のメダルが賭けられた場合にのみ、乱数抽出手段により抽出された乱数の値を下限値と上限値との双方と比較するので、この判別を常に行う場合に比べて遊技処理に用いるデータ量を軽減することができ、必要とするハードウエア資源を抑制できる。
【手続補正８】
【補正対象書類名】明細書
【補正対象項目名】００１１
【補正方法】変更
【補正の内容】
【００１１】
このような本発明によれば、上記のように、遊技者の要請を満足させることができる遊技機を提供することが可能となる。